(57)【要約】【課題】  解像度の異なる画像が混在する画像信号であっても高解像度化処理をより好適に行う。【解決手段】  入力画像である第1の画像信号に対して空間的なローパスフィルタ処理を行い、前記ローパスフィルタ処理後の画像に対し高解像度化処理を行い、第2の画像信号を生成し、前記第1の画像信号と前記第2の画像信号とにおける対応する領域を比較する処理を行い、該比較結果に基づいて、前記領域について前記第1の画像信号と前記第2の画像信号とのうち一方を選択する。【選択図】図1
2010073075.tif 000002
【特許請求の範囲】
【請求項１】
入力画像である第1の画像信号に対して空間的なローパスフィルタ処理を行うローパスフィルタ部と、
前記ローパスフィルタ処理後の画像に対し高解像度化処理を行い、第2の画像信号を生成する高解像度化処理部と、
前記第1の画像信号と前記第2の画像信号とにおける対応する領域を比較する処理を行い、該比較結果に基づいて、前記領域について前記第1の画像信号と前記第2の画像信号とのうち一方を選択する比較選択部と、
を備えることを特徴とする画像信号処理装置。
【請求項２】
前記比較選択部は、
比較対象画像の周辺の画像の一次微分の大きさまたは前記比較対象画像の周辺の画像の分散値に基づいて前記画像信号を選択する
ことを特徴とする請求項1記載の画像信号処理装置。
【請求項３】
前記比較選択部は、
前記比較処理において、前記第1の画像信号の周波数成分と前記第2の画像信号の周波数成分とを比較する
ことを特徴とする請求項1記載の画像信号処理装置。
【請求項４】
前記高解像度化処理部は、
折り返し歪みを低減する超解像処理を行う
ことを特徴とする請求項1記載の画像信号処理装置。
【請求項５】
前記領域は、1画素領域である
ことを特徴とする請求項1記載の画像信号処理装置。
【請求項６】
入力画像である第1の画像信号に対して空間的なローパスフィルタ処理を行うローパスフィルタ部と、
前記ローパスフィルタ処理後の画像に対し高解像度化処理を行い、第2の画像信号を生成する高解像度化処理部と、
前記第1の画像信号の画素値と前記ローパスフィルタ処理後の画像信号の画素値との差分絶対値を算出する第1の差分絶対値算出部と、
前記ローパスフィルタ処理後の画像信号の画素値と前記第2の画像信号の画素値との差分絶対値を算出する第2の差分絶対値算出部と、
前記第1の差分絶対値と前記第2の差分絶対値とを比較する比較部と、
前記比較部の比較結果に基づいて前記第１の画像信号と入力画像信号である第２の画像信号とのうち一方を選択する選択部と、
を備えることを特徴とする画像信号処理装置。
【請求項７】
前記選択部は、
前記比較部の比較結果において、前記第1の差分絶対値と前記第2の差分絶対値との差の絶対値が所定の閾値以下である場合に、前記第1の画像信号選択し、前記第1の差分絶対値と前記第2の差分絶対値との差の絶対値が所定の閾値より大きい場合に、前記第2の画像信号を選択する
ことを特徴とする請求項6記載の画像信号処理装置。
【請求項８】
前記比較部による比較処理または前記選択部による選択処理は、1画素単位で行う
ことを特徴とする請求項6記載の画像信号処理装置。
【請求項９】
前記高解像度化処理部は、
折り返し歪みを低減する超解像処理を行う
ことを特徴とする請求項6記載の画像信号処理装置。
【請求項１０】
請求項1に記載の画像信号処理装置である画像信号処理部と、
前記画像信号処理部からの画像信号に基づいて画像の表示を行う表示部と、
を備えることを特徴とする画像表示装置。
【請求項１１】
入力画像を蓄積する蓄積部と、
請求項1に記載の画像信号処理装置であって、前記蓄積部に蓄積され、再生された画像信号に対して画像処理を行う画像信号処理部と、
を備えることを特徴とする録画再生装置。
【請求項１２】
入力画像である第1の画像信号に対して空間的なローパスフィルタ処理を行うローパスフィルタ処理ステップと、
前記ローパスフィルタ処理後の画像に対し高解像度化処理を行い、第2の画像信号を生成する高解像度化処理ステップと、
前記第1の画像信号と前記第2の画像信号とにおける対応する領域を比較する処理を行い、該比較結果に基づいて、前記領域について前記第1の画像信号と前記第2の画像信号とのうち一方を選択する比較選択ステップと、
を備えることを特徴とする画像信号処理方法。
【請求項１３】
前記領域は、1画素領域である
ことを特徴とする請求項12記載の画像信号処理方法。
【請求項１４】
入力画像である第1の画像信号に対して空間的なローパスフィルタ処理を行うローパスフィルタ処理ステップと、
前記ローパスフィルタ処理後の画像に対し高解像度化処理を行い、第2の画像信号を生成する高解像度化処理ステップと、
前記第1の画像信号の画素値と前記ローパスフィルタ処理後の画像信号の画素値との差分絶対値を算出する第1の差分絶対値算出ステップと、
前記ローパスフィルタ処理後の画像信号の画素値と前記第2の画像信号の画素値との差分絶対値を算出する第2の差分絶対値算出ステップと、
前記第1の差分絶対値と前記第2の差分絶対値とを比較する比較ステップと、
前記比較部の比較結果に基づいて前記第１の画像信号と入力画像信号である第２の画像信号とのうち一方を選択する選択ステップと、
を備えることを特徴とする画像信号処理方法。
【請求項１５】
前記比較部による比較処理または前記選択部による選択処理は、1画素単位で行う
ことを特徴とする請求項14記載の画像信号処理方法。
【発明の詳細な説明】
【技術分野】
【０００１】
本発明は、画像の高解像度化処理技術に関する。
【背景技術】
【０００２】
テレビ受像機は大画面化が進んでおり、放送や通信、蓄積媒体などから入力された画像信号をそのまま表示するのではなく、デジタル信号処理によって水平・垂直方向の画素数を増やして表示することが一般的に行われている。この際、一般的に知られている sinc 関数を用いたローパスフィルタやスプライン関数等によって画素数を増やすだけでは解像度を上げることはできない。
【０００３】
そこで、入力された複数の画像フレーム(以下、フレームと略記)を合成して1枚のフレームとすることにより、高解像度化しながら画素数を増やす超解像技術が非特許文献1に開示されている。
【０００４】
【非特許文献１】Sina Farsiu、M. Dirk Robinson、Michael Elad、Peyman Milanfar, "Fast and Robust Multiframe Super Resolution"、IEEE  Transactions on Image Processing、VOL. 13、NO. 10、October 2004
【発明の開示】
【発明が解決しようとする課題】
【０００５】
非特許文献1に記載の技術を用いて高解像度処理を行うには、拡大処理前の画像サイズと高解像度処理後の画像サイズとが既知である必要があり、適切な高解像度化処理が行うことができない場合がある。
【０００６】
本発明は上記課題に鑑みてなされたものであり、その目的は、解像度の異なる画像が混在する画像信号であっても高解像度化処理をより好適に行うことである。
【課題を解決するための手段】
【０００７】
上記の課題を解決するために、本発明の一実施の態様は、例えば特許請求の範囲に記載されるように構成すればよい。
【発明の効果】
【０００８】
本発明によれば、解像度の異なる画像が混在する画像信号であっても高解像度化処理をより好適に行うことができる。
【発明を実施するための最良の形態】
【０００９】
以下に本発明の実施の形態を示す。
【００１０】
まず、図10を用いて、本発明の各実施例の入力画像信号の例を説明する。
【００１１】
本発明の各実施例の装置においては、例えば、DVD、BDプレーヤー等、撮像装置等または放送局等からSD画像信号(標準画質画像信号)やHD画像信号(高精細画質画像信号)が入力される。この場合、特に放送局から放送される画像信号などでは、SD画像信号対応カメラで撮影されたSD画像信号の画素数を増加させたアップコンバート画像信号と、HD画像信号対応カメラで撮影されたHD画像信号とがフレーム間またはフレーム内において混在する場合がある。本発明の各実施例の装置は、これらの画像を高精細化する。例えば、入力画像がSD画像信号であれば、HD画像信号へ変換処理し、入力画像がHD画像信号であればHD+画像信号（超高精細画像信号）へ変換処理をおこなう。
【実施例１】
【００１２】
次に、図1を用いて、実施例１に係る画像信号処理装置の構成を説明する。
【００１３】
実施例１に係る画像信号処理装置において、図１０に示すような画像信号が、画像入力部(101)に入力される。LPF部(102)は、空間的なローパスフィルタ処理を行うことにより、入力画像を低解像度画像へと変換する。この場合、入力画像の高周波成分がカットされるため、入力画像が高解像度画像であっても低解像度画像であっても、LPF部(102)後の画像は低解像度画像となる。次に、高解像度化処理部(103)は、LPF部(102)から出力される低解像度画像に対して高解像化処理を行い高解像度画像信号へと変換する。ここで、高解像度化処理部(103)における高解像度化処理は、例えば折り返し歪みを低減する超解像処理などである。比較選択部(104)は、高解像度化された画像信号と入力画像信号とを比較し、高解像度化された画像信号と入力画像信号とのうち一方を選択する。ここで、比較選択部(104)の比較処理および選択処理は、1画素単位で行っても良いし、複数の画素によって構成される領域単位で行っても良い。高解像度化部(105)は、比較選択部(104)において選択された画像信号に対して高解像度化処理を行う。ここで、高解像度化部(105)における高解像度化処理は、例えば輪郭を強調する処理を行う高解像度化処理などである。
【００１４】
ここで、図１０に示すような入力画像の一例を図3に示す。図3の画像の例は、領域(301)と領域(302)のように異なる画像が重畳して生成された画像の例である。それぞれの領域がSD画像信号の画素数を増加させたアップコンバート画像信号である低解像度画像である場合や、HD画像信号対応カメラで撮影された高解像度画像である場合が存在する。図3の例では、これらの画像がフレーム内で混在している。
【００１５】
次に、図４および図５を用いて、LPF部(102)、高解像度化処理部(103)および比較選択部(104)による画像信号の比較選択動作について説明する。以下の例では、比較選択部(104)が入力画像の領域(302)の画像が高解像度画像であるか低解像度画像であるかを比較処理により判別する例を示す。
【００１６】
まず、図4は、例えば入力画像の領域(302)が高解像度画像であった場合の例である。このときLPF部(102)には、高解像度画像(401)が入力される。ここで、LPF部(102)は高解像度画像(401)にローパスフィルタ処理を行い、低解像度画像(402)を生成して高解像度化処理部(103)に出力する。高解像度化処理部(103)は、低解像度画像(402)の折り返しひずみを低減し、高周波成分を復元する高解像度化処理を行い、高解像度画像(403)を生成する。
【００１７】
ここで、高解像度画像(401)、低解像度画像(402)、高解像度画像(403)の周波数成分は、例えば、それぞれ周波数成分(411)、周波数成分(412)、周波数成分(413)に示すとおりとなる。
【００１８】
すなわち、低解像度画像(402)の周波数成分(412)は、LPF部(102)のローパスフィルタ処理によって、高解像度画像(401)の周波数成分(411)に比べて高周波成分が低減されている。
【００１９】
また、高解像度画像(403)の周波数成分(413)は、高解像度化処理部(103)の高解像度化処理によって、低解像度画像(402)の周波数成分(412)に比べて高周波成分が増大している。
【００２０】
これに対し、図５は、例えば入力画像の領域(302)が低解像度画像であった場合の例である。このときLPF部(102)には、低解像度画像(501)が入力される。ここで、LPF部(102)は低解像度画像(501)にローパスフィルタ処理を行い、低解像度画像(502)を高解像度化処理部(103)に出力する。高解像度化処理部(103)は、低解像度画像(502)の折り返しひずみを低減し、高周波成分を復元する高解像度化処理を行い、高解像度画像(503)を生成する。
【００２１】
ここで、低解像度画像(501)、低解像度画像(502)、高解像度画像(503)の周波数成分は、例えば、それぞれ周波数成分(511)、周波数成分(512)、周波数成分(513)に示すとおりとなる。
【００２２】
すなわち、低解像度画像(501)の周波数成分(511)は、元々高周波成分が低いため、LPF部(102)のローパスフィルタ処理を行っても、低解像度画像(502)の周波数成分(512)は図４の周波数成分(411)と周波数成分(412)の例ほど変化しない。
【００２３】
ただし、高解像度画像(403)の周波数成分(413)は、高解像度化処理部(103)の高解像度化処理によって、図４の周波数成分(412)と周波数成分(413)の例と同様に、低解像度画像(402)の周波数成分(412)に比べて高周波成分が増大している。
【００２４】
ここで、実施例１に係る比較選択部(104)は、図４と図５に示すLPF部(102)への入力画像（画像信号処理装置(100)への入力画像）の周波数成分と、高解像度化処理部(103)からの出力画像の周波数成分を比較する。これにより、LPF部(102)への入力画像が低解像度画像であるか高解像度画像であるかを判別する。具体的には、LPF部(102)への入力画像)の周波数成分と、高解像度化処理部(103)からの出力画像の周波数成分とを比較する。
【００２５】
ここで、図５のように、LPF部(102)への入力画像が高解像度画像である場合には、周波数成分(511)と周波数成分(513)では、高周波成分における信号強度に差が大きい。
【００２６】
これに対し、図４のように、LPF部(102)への入力画像が高解像度画像である場合には、周波数成分(411)と周波数成分(413)は、いずれも低解像度画像(402)の周波数成分(412)よりも高周波成分の信号強度が高く、図５の周波数成分(511)と周波数成分(513)ほど、高周波成分に差はない。
【００２７】
よって、実施例１に係る比較選択部(104)は、LPF部(102)への入力画像の周波数成分と、高解像度化処理部(103)からの出力画像の周波数成分とを比較して、周波数成分の差が小さければ、画像信号処理装置(100)への入力画像が高解像度画像であると判別し、入力画像を選択して出力する。
【００２８】
また、実施例１に係る比較選択部(104)は、LPF部(102)への入力画像の周波数成分と、高解像度化処理部(103)からの出力画像の周波数成分とを比較して、周波数成分の差が大きければ、画像信号処理装置(100)への入力画像が低解像度画像であると判別し、高解像度化処理部(103)からの出力画像を選択して出力する。
【００２９】
なお、以上の説明は、領域(302)における判別処理を例に挙げているが、領域(301)についても同様の処理で低解像度画像であるか高解像度画像であるかを判別可能である。
【００３０】
なお、解像度が高いか否かの判定は、例えば、対象画素周辺の画像の一次微分の大きさに基づいて判定しても良いし、画素値の分散値に基づいて判定しても良い。
【００３１】
実施例１に係る比較選択部(104)は、LPF部(102)、高解像度化処理部(103)および比較選択部(104)を以上説明した構成とすることにより、入力画像に低解像度画像領域と高解像度画像領域が混在した画像信号について、低解像度画像領域と高解像度画像領域とを判別することが可能となる。
【００３２】
比較選択部(104)において選択された画像信号は高解像度化処理部(105)により高解像度化処理され出力される。ただし、高解像度化部(105)における高解像度化処理は行わず、比較選択部(104)が選択した画像信号をそのまま出力してもよい。
【００３３】
よって、画像信号処理装置(100)において、高解像度化処理部(105)による高解像度化処理を行う場合は、画像信号処理装置(100)に入力された入力画像のうち低解像度画像領域は、LPF部(102)のローパスフィルタ処理、高解像度化処理部(103)の折り返し歪み低減処理が行われた画像信号にさらに高解像度化処理部(105)の輪郭強調処理が行われて出力される。このとき、画像信号処理装置(100)に入力された入力画像のうち高解像度画像領域は、LPF部(102)、高解像度化処理部(103)の処理は行われず、入力画像信号に高解像度化処理部(105)の輪郭強調処理が行われた画像信号が出力される。このように、高解像度化処理部(105)による高解像度化処理を行う場合は、画像信号処理装置(100)では、入力画像に低解像度画像領域と高解像度画像領域が混在した画像信号について、領域ごとの解像度に応じて好適な高解像度処理を行うことが可能となる。
【００３４】
また、画像信号処理装置(100)において、高解像度化処理部(105)による高解像度化処理を行わない場合は、画像信号処理装置(100)に入力された入力画像のうち低解像度画像領域については、LPF部(102) ローパスフィルタ処理、高解像度化処理部(103)の折り返し歪み低減処理が行われた画像信号が出力される。このとき、画像信号処理装置(100)に入力された入力画像のうち高解像度画像領域については、LPF部(102)、高解像度化処理部(103)、高解像度化処理部(105)のいずれも処理も行われずに画像信号が出力される。このように、高解像度化処理部(105)による高解像度化処理を行わない場合は、画像信号処理装置(100)では、入力画像に低解像度画像領域と高解像度画像領域が混在した画像信号について、領域ごとの解像度に応じて高解像度処理の有無を選択し、入力画像の画面全体としては好適な高解像度処理を行うことが可能となる。
【００３５】
次に、図8を用いて実施例１に係る画像信号処理の流れを説明する。
【００３６】
まず、入力された画像信号に対してLPF処理を行い、入力画像信号から低解像度画像を生成する(801)。次にLPF処理を行った画像信号に対して、高解像度化処理を行う(802)。ここで、当該高解像度化処理は、例えば、折り返し歪みを低減する超解像処理などである。次に高解像度化処理を行った画像信号と入力画像信号とを比較し、高解像度化された画像信号と入力画像信号とのうち一方を選択する(803)。ここで、比較処理および選択処理は、1画素単位で行っても良いし、複数の画素によって構成される領域単位で行っても良い。次に比較選択ステップ(803)において入力画像信号が選択された場合、入力画像信号に対して高解像度化処理を行い、高解像度画像信号を出力する(804)ここで、高解像度化部(105)における高解像度化処理は、例えば輪郭を強調する処理を行う高解像度化処理などである。
【００３７】
以上説明した実施例１の画像信号処理装置によれば、入力画像に低解像度画像領域と高解像度画像領域が混在した画像信号について、低解像度画像領域と高解像度画像領域とを比較、判別することが可能となる。また、当該比較、判別結果に基づいて出力画像信号を選択することにより、低解像度画像領域と高解像度画像領域のそれぞれに好適な高解像度処理の選択、または高解像度処理の有無の選択を行うことが可能となる。よって、実施例１の画像信号処理装置によれば、解像度の異なる画像が混在する画像信号であっても高解像度化処理をより好適に行うことができる。
【００３８】
実施例１によれば、入力される画像信号のうちアップコンバート画像信号領域とハイビジョン解像度画像信号領域とを推定し、それぞれの領域に最適な高解像度化処理を行うことが可能である。
【実施例２】
【００３９】
次に、図２を用いて本発明の実施例２について説明する。
【００４０】
実施例1の画像信号処理装置(100)においては、入力画像信号と、高解像度化処理部(103)による高解像度化処理後の画像信号とを比較する。実施例２の画像信号処理装置(200)おいては、高解像度化処理前後の画素値の差分絶対値を算出する第1の差分絶対値算出部(203)の出力と、入力画像の画素値とLPF部(102)通過後の画素値との差分絶対値を算出する第2の差分絶対値算出部(202)との出力とを比較して選択部(205)を制御する。すなわち、実施例１と比べて画像信号の比較処理が異なるものである。ここで、LPF処理後の画像信号を比較処理に用いることにより、より安定した比較演算処理が実現できる。
【００４１】
以下、実施例２の画像信号処理装置(200)の詳細な構成・動作について説明する。
【００４２】
実施例２の画像信号処理装置(200)において、LPF部(102)、高解像度化処理部(103)、高解像度化部(105)は、実施例１の画像信号処理装置(100)のLPF部(102)、高解像度化処理部(103)、高解像度化部(105)と同様の構成、動作を有するものであるので説明を省略する。
【００４３】
実施例２の画像信号処理装置(200)において、第1の差分絶対値算出部(202)は、入力画像信号の画素値とLPF処理後の画像信号の画素値との差分絶対値を算出する。第2の差分絶対値算出部(203)は、LPF処理後の画像信号の画素値と高解像度化処理後の画像信号の画素値との差分絶対値を算出する。比較部(204)は、前記第1の差分絶対値と前記第2の差分絶対値とを比較する。
【００４４】
ここで、図４と図５を用いて第1の差分絶対値算出部(202)、第2の差分絶対値算出部(203)の算出結果と比較部(204)の比較処理について図４を用いて説明する。
【００４５】
まず、例えば、実施例１同様に図４と図５は領域302の入力画像を示しているとする。ここで、入力画像が高解像度画像である場合は、第1の差分絶対値算出部(202)は高解像度画像(401)と低解像度画像(402)との差分絶対値を算出する。第２の差分絶対値算出部(203)は低解像度画像(402)と高解像度画像(403)との差分絶対値を算出する。すると、入力画像が高解像度画像である場合は、第1の差分絶対値算出部(202)と第２の差分絶対値算出部(203)はいずれも低解像度画像と高解像度画像の絶対差分であり、ともに比較的大きい値となって、第1の差分絶対値算出部(202)の出力結果と第２の差分絶対値算出部(203)出力結果は比較的近く、両者の差は比較的小さい値となる。
【００４６】
次に、入力画像が低解像度画像である場合は、第1の差分絶対値算出部(202)は低解像度画像(501)と低解像度画像(502)との差分絶対値を算出する。第２の差分絶対値算出部(203)は低解像度画像(502)と高解像度画像(503)との差分絶対値を算出する。すると、入力画像が低解像度画像である場合は、第1の差分絶対値算出部(202)の出力結果は、低解像度画像と低解像度画像の絶対差分であり、比較的小さい値となる。これに対し、第２の差分絶対値算出部(203)の出力結果は、低解像度画像と高解像度画像の絶対差分であり、比較的大きい値となる。すると、第1の差分絶対値算出部(202)の出力結果と第２の差分絶対値算出部(203)出力結果は比較的離れており、その差は比較的大きい値となる。
【００４７】
よって、比較部(204)は、第1の差分絶対値算出部(202)の出力結果と第２の差分絶対値算出部(203)出力結果とを比較し、両者の差の絶対値が所定の閾値以下である場合には、入力画像が高解像度画像であると判別する。また、両者の差の絶対値が所定の閾値より大きいである場合には、入力画像が低解像度画像であると判別する。
【００４８】
選択部(205)は、比較部(204)による比較判別結果に基づいて、入力画像が低解像度画像であるか高解像度であるかに基づいて出力する画像信号を選択する。選択部(205)の選択処理は、実施例１の比較選択部(104)と同様であるので、詳細な説明は省略する。
【００４９】
ここで、比較部(204)の比較処理および選択部(205)の選択処理は、1画素単位で行っても良いし、複数の画素によって構成される領域単位で行っても良い。
【００５０】
次に、図9を用いて実施例２に係る画像信号処理の流れを説明する。
【００５１】
入力された画像信号に対してLPF処理を行い、入力画像信号から低解像度画像を生成する(901)。次にLPF処理を行った画像信号に対して、高解像度化処理を行う(902)。次に入力画像信号の画素値とLPF処理後の画像信号の画素値との差分絶対値である第1の差分絶対値およびLPF処理後の画像信号の画素値と高解像度化処理後の画像信号の画素値との差分絶対値である第2の差分絶対値を算出する(903)。次に第1の差分絶対値と第2の差分絶対値とを比較する(904)。当該比較処理の詳細は上述のとおりである。次に当該比較処理結果に基づいて出力画像信号を選択する(905)。次に、選択された画像信号に高解像度化処理を行い、高解像度画像信号を出力する(906)。
【００５２】
以上説明した実施例２の画像信号処理装置によれば、実施例１の画像信号処理装置とは異なり、入力画像信号の画素値とLPF処理後の画像信号の画素値との差分絶対値およびLPF処理後の画像信号の画素値と高解像度化処理後の画像信号の画素値との差分絶対値とに基づいて、低解像度画像領域と高解像度画像領域とを比較、判別することが可能となる。これにより、実施例２の画像信号処理装置は、実施例１の効果に加えて、LPF処理後の画像信号を比較処理に用いることにより、より安定した比較演算処理が実現できるという効果を有する。
よって、実施例２の画像信号処理装置によれば、解像度の異なる画像が混在する画像信号であっても高解像度化処理をより好適に行うことができる。
【実施例３】
【００５３】
図6は、本発明の実施例3に係る画像表示装置を示した構成図である。
【００５４】
本実施例に係る画像表示装置は、上述の実施例1または実施例2に記載された画像信号処理を行う構成とした画像表示装置である。
【００５５】
同図において、画像表示装置(600)は、例えば、テレビジョン信号などを含む放送波やネットワークなどを介して放送信号や画像コンテンツや画像コンテンツなどを入力する入力部(601)と、入力部(601)から入力されたコンテンツを録画もしくは再生する録画再生部(602)と、録画再生部(602)がコンテンツを記録するコンテンツ蓄積部(603)と、録画再生部(602)が再生した画像信号に実施例1に記載された画像信号処理装置である画像信号処理部(604)と、画像信号処理部(604)にて処理された画像信号を表示する表示部(605)と、録画再生部(602)が再生した音声信号を出力する音声出力部(606)と、画像表示装置(600)の各構成部を制御する制御部(607)と、ユーザーが画像表示装置(600)の操作を行うユーザインターフェース部(608)などを備える。
【００５６】
画像信号処理部(604)の詳細な構成・動作については、実施例1または実施例2に記載した画像信号処理装置と同様であるので、説明を省略する。
【００５７】
画像表示装置(600)が実施例1または実施例2に記載された画像信号処理装置である画像信号処理部(604)を備えることで、入力部(601)に入力された画像信号をより好適に高解像度した画像信号として表示部(605)に表示することができる。
【００５８】
また、コンテンツ蓄積部(603)に蓄積された画像コンテンツまたは画像コンテンツを再生する際も、より好適に高解像度した画像信号に変換して表示部(605)に表示することができる。
【００５９】
また、画像信号処理部(604)を録画再生部(602)に含め、録画時に上述の画像信号処理を行ってもよい。この場合は、再生時には上述の画像信号処理を行う必要が無いため、再生時の処理負荷を低減できるという効果がある。
【００６０】
以上説明した本発明の実施例3に係る画像表示装置によれば、実施例1もしくは実施例2に示す効果を有する画像表示装置を実現できる。すなわち、より好適に画像の高解像化して表示することができる。
【実施例４】
【００６１】
図7は、本発明の実施例4に係る録画再生装置を示した構成図である。
【００６２】
本実施例に係る録画再生装置は、上述の実施例1または実施例2の実施例に記載された画像信号処理を行う構成とした録画再生装置である。
【００６３】
同図において、録画再生装置(700)は、例えば、例えば、テレビジョン信号などを含む放送波やネットワークなどを介して放送信号や画像コンテンツや画像コンテンツなどを入力する入力部(701)と、入力部(701)から入力されたコンテンツを録画もしくは再生する録画再生部(702)と、録画再生部(702)がコンテンツを記録するコンテンツ蓄積部(703)と、録画再生部(702)が再生した画像信号に実施例1に記載された画像信号処理装置である画像信号処理部(704)と、画像信号処理部(704)にて処理された画像信号を他の装置などに出力する画像出力部(705)と、録画再生部(702)が再生した音声信号を他の装置などに出力する音声出力部(706)と、録画再生装置(700)の各構成部を制御する制御部(707)と、ユーザーが録画再生装置(700)の操作を行うユーザインターフェース部(708)などを備える。
【００６４】
録画再生装置(700)が実施例1に記載された画像信号処理装置である画像信号処理部(704)を備えることで、入力部(701) に入力された画像信号をより好適に高解像度した画像信号として、他の装置などに出力することができる。
【００６５】
また、画像信号処理部(704)を録画再生部(702)に含め、録画時に上述の画像信号処理を行ってもよい。この場合は、再生時には上述の画像信号処理を行う必要が無いため、再生時の処理負荷を低減できるという効果がある。
【００６６】
以上説明した本発明の実施例4に係る録画再生装置によれば、実施例1もしくは実施例2に示す効果を有する録画再生装置を実現できる。すなわち、より好適に画像を高解像化して録画、再生または出力することができる。
【図面の簡単な説明】
【００６７】
【図１】本発明の実施例1の説明図である。
【図２】本発明の実施例2の説明図である。
【図３】本発明に係る入力画像の一例の説明図である。
【図４】本発明に係る画像信号処理の一例の説明図である。
【図５】本発明に係る画像信号処理の一例の説明図である。
【図６】本発明の実施例3の説明図である。
【図７】本発明の実施例4の説明図である。
【図８】本発明の実施例1の説明図である。
【図９】本発明の実施例2の説明図である。
【図１０】本発明に係る入力信号の一例の説明図である。
【符号の説明】
【００６８】
100  画像信号処理装置
101  画像入力部
102  LPF部
103  高解像度化部
104  比較選択部
105  高解像度化部
106  画像出力部
200  画像信号処理装置
201  画像入力部
202  差分絶対値算出部
203  差分絶対値算出部
204  比較部
205  選択部
206  高解像度化処理部
207  画像出力部
600  画像表示装置
601  入力部
602  録画再生部
603  コンテンツ蓄積部
604  画像信号処理部
605  表示部
606  音声出力部
607  制御部
608  ユーザインターフェース部
700  録画再生装置
701  入力部
702  録画再生部
703  コンテンツ蓄積部
704  画像信号処理部
705  画像出力部
706  音声出力部
707  制御部
708  ユーザインターフェース部
【図１】
2010073075.tif 000003
【図２】
2010073075.tif 000004
【図３】
2010073075.tif 000005
【図４】
2010073075.tif 000006
【図５】
2010073075.tif 000007
【図６】
2010073075.tif 000008
【図７】
2010073075.tif 000009
【図８】
2010073075.tif 000010
【図９】
2010073075.tif 000011
【図１０】
2010073075.tif 000012